【手続補正書】
【提出日】平成31年1月11日(2019.1.11)
【手続補正１】
【補正対象書類名】特許請求の範囲
【補正対象項目名】全文
【補正方法】変更
【補正の内容】
【特許請求の範囲】
【請求項１】
第1のユーザ端末によるワイヤレス通信の方法であって、
アクセスポイントから、ダウンリンク(DL)マルチユーザ(MU)物理層コンバージェンスプロトコル(PLCP)プロトコルデータユニット(PPDU)(DL MU PPDU)を受信するステップであって、前記DL MU PPDUが、第1の集約媒体アクセス制御(MAC)プロトコルデータユニット(A-MPDU)と、ブロック肯定応答(BA)トリガと、BAを前記アクセスポイントに送信するときに前記第1のユーザ端末に命令する肯定応答ポリシーとを含み、前記第1のA-MPDUが複数のMPDUを含み、前記BAトリガは前記肯定応答ポリシーとは異なる、ステップと、
前記BAトリガおよび前記肯定応答ポリシーに基づき、第1のBAを前記アクセスポイントに送信するステップであって、前記第1のBAが、前記複数のMPDUのうちの1つまたは複数のMPDUに肯定応答する、ステップと
を含む、方法。
【請求項２】
前記第1のA-MPDUが前記BAトリガを含む、請求項1に記載の方法。
【請求項３】
前記第1のA-MPDUの各MPDUが前記BAトリガを含む、請求項1に記載の方法。
【請求項４】
前記DL MU PPDUが、前記BAトリガを含むプリアンブルを含む、請求項1に記載の方法。
【請求項５】
前記プリアンブルが、前記BAトリガを含むHE-SIG Bフィールドを含む、請求項4に記載の方法。
【請求項６】
前記第1のA-MPDUの各MPDUが、前記肯定応答ポリシーを含む、請求項1に記載の方法。
【請求項７】
前記アクセスポイントにBAを送信するときに前記第1のユーザ端末を命令する前記肯定応答ポリシーが、前記BAトリガを受信すると直ちに前記第1のBAを送信するように前記第1のユーザ端末に命令するポリシーを含む、請求項1に記載の方法。
【請求項８】
前記アクセスポイントにBAを送信するときに前記第1のユーザ端末を命令する前記肯定応答ポリシーが、前記BAトリガの受信からある期間後に前記第1のBAを送信するように前記第1のユーザ端末に命令するポリシーを含み、前記期間が、前記DL MU PPDUのエンドポイントから測定される、請求項1に記載の方法。
【請求項９】
前記期間が、短フレーム間空間(SIFS)を含む、請求項8に記載の方法。
【請求項１０】
前記第1のBAが前記アクセスポイントに送信された場合のみ前記アクセスポイントにデータを送信するステップをさらに含む、請求項1に記載の方法。
【請求項１１】
アクセスポイントによるワイヤレス通信の方法であって、
ダウンリンク(DL)マルチユーザ(MU)物理層コンバージェンスプロトコル(PLCP)プロトコルデータユニット(PPDU)(DL MU PPDU)を第1のユーザ端末に送信するステップであって、前記DL MU PPDUが、第1の集約媒体アクセス制御(MAC)プロトコルデータユニット(A-MPDU)と、ブロック肯定応答(BA)トリガと、BAを前記アクセスポイントに送信するときに前記第1のユーザ端末に命令する肯定応答ポリシーとを含み、前記第1のA-MPDUが複数のMPDUを含み、前記BAトリガは前記肯定応答ポリシーとは異なる、ステップと、
前記BAトリガおよび前記肯定応答ポリシーに基づき、前記第1のユーザ端末から第1のBAを受信するステップであって、前記第1のBAが、前記複数のMPDUのうちの1つまたは複数のMPDUに肯定応答する、ステップと
を含む、方法。
【請求項１２】
前記第1のA-MPDUが前記BAトリガを含む、請求項11に記載の方法。
【請求項１３】
前記第1のA-MPDUの各MPDUが前記BAトリガを含む、請求項11に記載の方法。
【請求項１４】
前記DL MU PPDUが、前記BAトリガを含むプリアンブルを含む、請求項11に記載の方法。
【請求項１５】
前記プリアンブルが、前記BAトリガを含むHE-SIG Bフィールドを含む、請求項14に記載の方法。
【請求項１６】
前記第1のA-MPDUの各MPDUが、前記肯定応答ポリシーを含む、請求項11に記載の方法。
【請求項１７】
前記アクセスポイントにBAを送信するときに前記第1のユーザ端末を命令する前記肯定応答ポリシーが、前記BAトリガを受信すると直ちに前記第1のBAを送信するように前記第1のユーザ端末に命令するポリシーを含む、請求項11に記載の方法。
【請求項１８】
前記アクセスポイントにBAを送信するときに前記第1のユーザ端末を命令する前記肯定応答ポリシーが、前記BAトリガの受信からある期間後に前記第1のBAを送信するように前記第1のユーザ端末に命令するポリシーを含み、前記期間が、前記DL MU PPDUのエンドポイントから測定される、請求項11に記載の方法。
【請求項１９】
前記期間が、短フレーム間空間(SIFS)を含む、請求項18に記載の方法。
【請求項２０】
前記第1のBAが前記第1のユーザ端末から受信された場合にのみ前記第1のユーザ端末からデータを受信するステップをさらに含む、請求項11に記載の方法。
【請求項２１】
ワイヤレス通信のための第1のユーザ端末であって、
メモリと、
前記メモリに結合される少なくとも1つのプロセッサとを備え、前記少なくとも1つのプロセッサが、
ダウンリンク(DL)マルチユーザ(MU)物理層コンバージェンスプロトコル(PLCP)プロトコルデータユニット(PPDU)(DL MU PPDU)をアクセスポイントから受信することであって、前記DL MU PPDUが、第1の集約媒体アクセス制御(MAC)プロトコルデータユニット(A-MPDU)と、ブロック肯定応答(BA)トリガと、BAを前記アクセスポイントに送信するときに前記第1のユーザ端末に命令する肯定応答ポリシーとを含み、前記第1のA-MPDUが複数のMPDUを含み、前記BAトリガは前記肯定応答ポリシーとは異なる、受信することと、
前記BAトリガおよび前記肯定応答ポリシーに基づき、前記アクセスポイントに第1のBAを送信することであって、前記第1のBAが、前記複数のMPDUのうちの1つまたは複数のMPDUに肯定応答する、送信することと
を行うように構成された、第1のユーザ端末。
【請求項２２】
前記第1のA-MPDUが前記BAトリガを含む、請求項21に記載の第1のユーザ端末。
【請求項２３】
前記DL MU PPDUが、前記BAトリガを含むプリアンブルを含む、請求項21に記載の第1のユーザ端末。
【請求項２４】
前記アクセスポイントにBAを送信するときに前記第1のユーザ端末を命令する前記肯定応答ポリシーが、前記BAトリガを受信すると直ちに前記第1のBAを送信するように前記第1のユーザ端末に命令するポリシーを含む、請求項21に記載の第1のユーザ端末。
【請求項２５】
前記アクセスポイントにBAを送信するときに前記第1のユーザ端末を命令する前記肯定応答ポリシーが、前記BAトリガの受信からある期間後に前記第1のBAを送信するように前記第1のユーザ端末に命令するポリシーを含み、前記期間が、前記DL MU PPDUのエンドポイントから測定される、請求項21に記載の第1のユーザ端末。
【請求項２６】
コードを記録するコンピュータ可読記録媒体であって、前記コードは、実行されたときに、第1のユーザ端末に、
ダウンリンク(DL)マルチユーザ(MU)物理層コンバージェンスプロトコル(PLCP)プロトコルデータユニット(PPDU)(DL MU PPDU)をアクセスポイントから受信することであって、前記DL MU PPDUが、第1の集約媒体アクセス制御(MAC)プロトコルデータユニット(A-MPDU)と、ブロック肯定応答(BA)トリガと、BAを前記アクセスポイントに送信するときに前記第1のユーザ端末に命令する肯定応答ポリシーとを含み、前記第1のA-MPDUが複数のMPDUを含み、前記BAトリガは前記肯定応答ポリシーとは異なる、受信することと、
前記BAトリガおよび前記肯定応答ポリシーに基づき、第1のBAを前記アクセスポイントに送信することであって、前記第1のBAが、前記複数のMPDUのうちの1つまたは複数のMPDUに肯定応答する、送信することと
を行わせる、コンピュータ可読記録媒体。
【請求項２７】
前記第1のA-MPDUが前記BAトリガを含む、請求項26に記載のコンピュータ可読記録媒体。
【請求項２８】
前記DL MU PPDUが、前記BAトリガを含むプリアンブルを含む、請求項26に記載のコンピュータ可読記録媒体。
【請求項２９】
前記アクセスポイントにBAを送信するときに前記第1のユーザ端末を命令する前記肯定応答ポリシーが、前記BAトリガを受信すると直ちに前記第1のBAを送信するように前記第1のユーザ端末に命令するポリシーを含む、請求項26に記載のコンピュータ可読記録媒体。
【請求項３０】
前記アクセスポイントにBAを送信するときに前記第1のユーザ端末を命令する前記肯定応答ポリシーが、前記BAトリガの受信からある期間後に前記第1のBAを送信するように前記第1のユーザ端末に命令するポリシーを含み、前記期間が、前記DL MU PPDUのエンドポイントから測定される、請求項26に記載のコンピュータ可読記録媒体。
【請求項３１】
ワイヤレス通信のためのアクセスポイントであって、
メモリと、
前記メモリに結合される少なくとも1つのプロセッサとを備え、前記少なくとも1つのプロセッサは、
ダウンリンク(DL)マルチユーザ(MU)物理層コンバージェンスプロトコル(PLCP)プロトコルデータユニット(PPDU)(DL MU PPDU)を第1のユーザ端末に送信することであって、前記DL MU PPDUが、第1の集約媒体アクセス制御(MAC)プロトコルデータユニット(A-MPDU)と、ブロック肯定応答(BA)トリガと、BAを前記アクセスポイントに送信するときに前記第1のユーザ端末に命令する肯定応答ポリシーとを含み、前記第1のA-MPDUが複数のMPDUを含み、前記BAトリガは前記肯定応答ポリシーとは異なる、送信することと、
前記BAトリガおよび前記肯定応答ポリシーに基づき、第1のBAを前記第1のユーザ端末から受信することであって、前記第1のBAが、前記複数のMPDUのうちの1つまたは複数のMPDUに肯定応答する、受信することと
を行うように構成された、アクセスポイント。
【請求項３２】
前記第1のA-MPDUが前記BAトリガを含む、請求項31に記載のアクセスポイント。
【請求項３３】
前記DL MU PPDUが、前記BAトリガを含むプリアンブルを含む、請求項31に記載のアクセスポイント。
【請求項３４】
前記アクセスポイントにBAを送信するときに前記第1のユーザ端末を命令する前記肯定応答ポリシーが、前記BAトリガを受信すると直ちに前記第1のBAを送信するように前記第1のユーザ端末に命令するポリシーを含む、請求項31に記載のアクセスポイント。
【請求項３５】
(前記アクセスポイントにBAを送信するときに前記第1のユーザ端末を命令する前記肯定応答ポリシーが、前記BAトリガの受信からある期間後に前記第1のBAを送信するように前記第1のユーザ端末に命令するポリシーを含み、前記期間が、前記DL MU PPDUのエンドポイントから測定される、請求項31に記載のアクセスポイント。
【請求項３６】
コードを記録するコンピュータ可読記録媒体であって、前記コードは、実行されたときに、アクセスポイントに、
ダウンリンク(DL)マルチユーザ(MU)物理層コンバージェンスプロトコル(PLCP)プロトコルデータユニット(PPDU)(DL MU PPDU)を第1のユーザ端末に送信することであって、前記DL MU PPDUが、第1の集約媒体アクセス制御(MAC)プロトコルデータユニット(A-MPDU)と、ブロック肯定応答(BA)トリガと、BAを前記アクセスポイントに送信するときに前記第1のユーザ端末に命令する肯定応答ポリシーとを含み、前記第1のA-MPDUが複数のMPDUを含み、前記BAトリガは前記肯定応答ポリシーとは異なる、送信することと、
前記BAトリガおよび前記肯定応答ポリシーに基づき、第1のBAを前記第1のユーザ端末から受信することであって、前記第1のBAが、前記複数のMPDUのうちの1つまたは複数のMPDUに肯定応答する、受信することと
を行わせる、コンピュータ可読記録媒体。
【請求項３７】
前記第1のA-MPDUが前記BAトリガを含む、請求項36に記載のコンピュータ可読記録媒体。
【請求項３８】
前記DL MU PPDUが、前記BAトリガを含むプリアンブルを含む、請求項36に記載のコンピュータ可読記録媒体。
【請求項３９】
前記アクセスポイントにBAを送信するときに前記第1のユーザ端末を命令する前記肯定応答ポリシーが、前記BAトリガを受信すると直ちに前記第1のBAを送信するように前記第1のユーザ端末に命令するポリシーを含む、請求項36に記載のコンピュータ可読記録媒体。
【請求項４０】
前記アクセスポイントにBAを送信するときに前記第1のユーザ端末を命令する前記肯定応答ポリシーが、前記BAトリガの受信からある期間後に前記第1のBAを送信するように前記第1のユーザ端末に命令するポリシーを含み、前記期間が、前記DL MU PPDUのエンドポイントから測定される、請求項36に記載のコンピュータ可読記録媒体。